(57)【特許請求の範囲】
【請求項１】
躯体面と、躯体面上に並設された根太に床材を敷設して形成された床面との間隙を覆い隠す、床の鼻隠し構造において、上記床面の縁沿いの躯体面に立設した支持ボルトで鼻隠し用根太を支持し、この鼻隠し用根太に板材を取り付けて床面周縁の間隙を覆い隠すようにした床の鼻隠し構造。
【請求項２】
躯体面と、躯体面上に並設された根太に床材を敷設して形成された床面との間隙を覆い隠す、床の鼻隠し構造において、床材が敷設される根太を支持するため床面縁沿いに立設した支持ボルトに鼻隠し用根太を配設し、この鼻隠し用根太に板材を取り付けて床面周縁の間隙を覆い隠すようにした床の鼻隠し構造。
【発明の詳細な説明】
【０００１】
【発明の属する技術分野】
本発明は躯体面と床面との間隙を外部から遮蔽する床の鼻隠し構造に関する。
【０００２】
【従来の技術】
コンクリート床などの躯体面に支持ボルトを立設して根太を支持し、この根太に床材を敷設して床面を形成する場合、床面の周縁部で剥き出しとなる躯体面と床面との間隙を外部から見えないように遮蔽するため鼻隠し材を取り付ける。
図５は、従来の床の鼻隠し構造であって、躯体５１に立設した支持ボルト５２で根太５３を支持し、根太５３にデッキ床材５４を敷設してデッキ床面を形成した態様を示しており、同図の如く、従来、鼻隠し材５５は根太５３の外側部に釘で固定されていた。また、床面を高位置に設け、根太５３に鼻隠し材５５を固定しただけでは躯体面と床面との間隙を覆い隠せないときには、Ｌ字型に折り曲げた固定金具５６を介して躯体面にも鼻隠し材５５を固定するようにしていた。
【０００３】
上記のように、固定金具５６を介して鼻隠し材５５を躯体面に固定する場合、躯体面に不陸があると、これに沿って鼻隠し材５５も曲がってしまう。そのため、根太５３に取付けた上段の鼻隠し材５５と平行になるように、固定金具５６への鼻隠し材５５の取付け（高さ）位置を適宜調整しなければならず、取付け作業が面倒であった。
また、鼻隠し材５５は固定金具５６にボルトナット５７によって固定されるが、床材５４を敷設した後では、躯体５１への固定金具５６の固着や固定金具５６への鼻隠し材５５の取付けが行えず、床材５４を敷設する前に鼻隠し材５５を設置しなければならい。すなわち従来の構造では、鼻隠し材５５の施工時期が限定され、床面全体の施工手順も制限を受けるという問題があった。
【０００４】
【発明が解決しようとする課題】
本発明は、上記のように、躯体面と床面との間隙を外部から見えないように遮蔽する場合に、躯体面の不陸と無関係に鼻隠し材を水平に簡易に取付けることができ、而も床材の敷設後においても施工できるようにすることを課題とする。
【０００５】
【課題を解決するための手段】
上記課題を解決するため、躯体面と、躯体面上に並設された根太に床材を敷設して形成された床面との間隙を覆い隠す、本発明の床の鼻隠し構造は、上記床面の縁沿いの躯体面に立設した支持ボルトで鼻隠し用根太を支持し、この鼻隠し用根太に板材を取り付けて上記床面周縁の間隙を覆い隠すように設けてなるものである。
【０００６】
鼻隠し用根太は、床材が敷設される根太を支持するための床用根太支持ボルトに支持させることができる。すなわち、床材が敷設される根太を支持するため床面縁沿いに立設した支持ボルトに鼻隠し用根太を配設し、この鼻隠し用根太に板材を取り付けて床面周縁の間隙を覆い隠すように設けることができる。
【０００７】
【発明の実施の形態】
本発明の好適な実施形態を図面を参照して説明する。
各図において、符号１はコンクリート床などの躯体、２は躯体面上に形成された床、８，９は床面と躯体面間に配置された鼻隠し用根太、１０，１１は躯体面と床面との間隙を外部から遮蔽するため床２の縁沿いに配置された鼻隠し材であり、図示の形態は、床２のコーナー部における躯体面と床面との間隙を遮蔽する構造を示している。
【０００８】
床２は、躯体面に複数の支持ボルト３を立設し、これら支持ボルト３及び締結具４で複数の床用根太５を躯体面上に平行に支持し、これら並置された床用根太５にデッキ床材７を敷設して形成してある。
【０００９】
支持ボルト３は、全周面に螺子溝を設けて適宜な長さに形成されており、その下端部を躯体１の上面縦横に所定の間隔離して穿設された下穴１ａに挿入し、エポキシ系接着剤などの硬化剤を介して躯体１に一体に固定してある。
【００１０】
締結具４は、ナット４ａと円形の座板４ｂとからなり、それぞれ支持ボルト３に一体に螺着し、上記座板４ｂを床用根太５の下面に接合させて根太が支持されるように設けてある。ナット４ａと座板４ｂは一体に成形してもよい。
【００１１】
床用根太５は、その長手方向に支持ボルト３が挿通可能な開孔５ａを支持ボルト３の縦方向（図１中矢符Ａ方向）の設置間隔と同間隔離して穿設してあり、支持ボルト３の上部に締結具４を螺着した状態で各開孔５ａに支持ボルト３を挿通させ、その下面を締結具４の座板４ｂに重合させ、且つ支持ボルト３の上端にナット６を螺着して支持ボルト３の上端に固定してある。
【００１２】
デッキ床材７は、その長手方向が床用根太５の長手方向と直交するように向けて各床用根太５の上面に並置し、ボルトや釘（図示せず）により床用根太５に固着してある。
【００１３】
鼻隠し用根太８，９は、それぞれ床２の縁沿いの躯体面に立設された支持ボルト３に挿通し且つ水平に配置して躯体面と床面との間に配設してある。
両根太は上記床用根太５と同形の板材を用い、根太８はその長手方向に支持ボルト３が挿通可能な開孔８ａを支持ボルト３の縦方向の設置間隔と同間隔離して穿設し、根太９はその長手方向に支持ボルト３が挿通可能な開孔９ａを支持ボルト３の横方向（図１中矢符Ｂ方向）の設置間隔と同間隔離して穿設して形成してある。
両根太は、根太８がその長手方向を床用根太５の長手方向と平行に向け、根太９がその長手方向をデッキ床材７の長手方向と平行に向けて、それぞれ躯体面に縦横に立設した支持ボルト３の内の縦横端部の支持ボルト３にのみ挿通され、且つ支持ボルト３に螺着された締結具４，４をそれぞれ上下両面に接合させて挟持状態に支持されている。また、両根太は、締結具４，４の螺着位置を変えることにより、支持ボルト３に沿ってその固定位置を適宜調節できるようになっている。
【００１４】
鼻隠し材１０，１１は、適宜な幅及び長さの板材により形成されており、鼻隠し材１０は内面を床用根太５の側面又は端面に接合させ、鼻隠し材１１は鼻隠し用根太８，９の側面に接合させて、それぞれ釘（図示せず）によって両根太に一体に固着してある。鼻隠し材１０，１１はデッキ床材７を流用してもよい。
【００１５】
上記構造の床の鼻隠しの施工手順は、通常の方法により躯体面上に縦横に立設された支持ボルト３の内、縦横両列端部の各支持ボルト３にのみ締結具４を螺着すると共に、横列の支持ボルト３に鼻隠し用根太８を挿通し、また縦列の支持ボルト３に鼻隠し用根太９を挿通し、それぞれ締結具４の座板４ｂに重合する。
上記締結具４の螺着深さを適宜に変えて両根太を水平な同高さに位置を揃えた後、当該各支持ボルト３に締結具４を螺着し、これを根太８，９の上面に重合して上下両締結具４，４で根太８，９を挟持固定する。
その後、各支持ボルト３に床用根太５を取付け、この床用根太５にデッキ床材７を敷設した後、床用根太５の側面又は端面と鼻隠し用根太８，９の側面とに鼻隠し材１０，１１を接合し、且つ釘などを用いてこららを固着し、これにより躯体面と床面との間隙を外部から遮蔽することができる。
床用根太５を取付けた後、デッキ床材７の敷設前に鼻隠し材１０，１１を固着してもよく、また、鼻隠し用根太８，９を取付けた後、床用根太５の取付け前に鼻隠し材１１のみを固着し、床用根太５の取付け後に鼻隠し材１０を取付けることもできる。
【００１６】
本形態によれば、支持ボルト３に挿通され且つこれと一体に支持された床用根太５と鼻隠し用根太８．９に鼻隠し材１０，１１が固着してあるので、躯体面の不陸と無関係に水平に簡易に取付け可能であり、また、鼻隠し材１０，１１は、鼻隠し用根太８．９の高さ位置が調節してあれば、デッキ床材７の敷設後であっても取り付けることができ、従来の如き施工手順の制限がなくなり、施工場所や状況などに応じて、効率的に施工を進めることができる。
【００１７】
図４は他の実施形態であって、デッキ床材７を用いて床面を高位置に形成し、躯体面と床面との差を大きく設けた場合を示しており、床用根太５を支持する支持ボルト３に鼻隠し用根太１２を二段に挿通して支持せしめ、これら根太に３枚の鼻隠し材１０，１１，１１を取り付けて躯体面と床面との間隙を遮蔽するようにしたものである。
このように、鼻隠し用根太１２を多段に設置すれば、鼻隠し材の幅が短い場合、例えば鼻隠し材１０，１１としてデッキ床材７を流用したときなどにも、これをそのまま使用して躯体面と床面間の広い間隙を遮蔽することができ、別個に鼻隠し材を形成する必要がなく効率的である。
【００１８】
なお、上記形態では、床用根太を支持する支持ボルトに鼻隠し用根太を取付けたが、鼻隠し用根太のみを支持する専用の支持ボルトを別個に立設し、これに取り付けるようにしてもよい。
また、本発明の構造は、デッキ床材以外の床材を用いて床面を形成する場合にも勿論適用可能である。
【００１９】
【発明の効果】
本発明の床の鼻隠し構造によれば、鼻隠し材を鼻隠し用根太に取り付けるようにしたので、躯体面の不陸と無関係に鼻隠し材を水平に簡易に取付けることができる共に、床材の敷設後においても鼻隠し材を取り付けることができ、鼻隠し材の施工時期が限定されず、床面全体を効率良く仕上げることができる。
【図面の簡単な説明】
【図１】本発明の床の鼻隠し構造の一実施形態の部材展開斜視図である。
【図２】図１の床を床材の側面と平行な平面で切断した状態を示す図である。
【図３】図１の床を床用根太の側面と平行な平面で切断した状態を示す図である。
【図４】本発明の他の実施形態の要部断面図である。
【図５】従来の床の鼻隠し構造を示した断面図である。
【符号の説明】
1      躯体
2      床
3      支持ボルト
4      締結具
5      床用根太
7      デッキ床材
8,9    鼻隠し用根太
10,11   鼻隠し材
【図１】
0003756618.tif 000002
【図２】
0003756618.tif 000003
【図３】
0003756618.tif 000004
【図４】
0003756618.tif 000005
【図５】
0003756618.tif 000006